(57)【要約】【課題】剛性の高い記録媒体を給紙しても騒音の発生を抑制することができる給紙装置及び給紙装置を備えた記録装置を提供する。【解決手段】給紙装置は、複数の記録媒体１００を収容する記録媒体積載部（給紙カセットユニット１２）と、積載された複数の記録媒体１００の最上の記録媒体１００に接している給紙ローラ１３２と、給紙機構部（スウィングアーム給紙機構１４）を有している。  給紙機構部は、給紙ローラ１３２と第一の回転トルクを互いに伝達している駆動ギア（ディレイギア１４３）を介して接続している第一の駆動列と、駆動部に接続している第二の駆動列とを有している。さらに、第一の駆動列と第二の駆動列との間に配置され、第二の駆動列から第一の駆動列へ第二の回転トルクを伝達する駆動連結部（クラッチ機構部１４５）と、を有していることを特徴とする。【選択図】図１６
2014047036.tif 000002
【特許請求の範囲】
【請求項１】
複数の記録媒体を収容する記録媒体積載部と、前記記録媒体積載部に積載された前記複数の記録媒体の最上の記録媒体に接している給紙ローラと、給紙機構部とを有し、
前記給紙機構部は、前記給紙ローラと第一の回転トルクを互いに伝達している駆動ギアを介して接続している第一の駆動列と、前記給紙ローラを回転させる第二の回転トルクを発生させる駆動部に接続している第二の駆動列と、前記第一の駆動列と前記第二の駆動列との間に配置され、前記第二の駆動列から前記第一の駆動列への一方向にのみ前記第二の回転トルクを伝達する駆動連結部と、を有していることを特徴とする給紙装置。
【請求項２】
前記記録媒体の搬送方向において前記給紙ローラの下流に位置する前記記録媒体の搬送部を有し、前記第一の駆動列に、前記搬送部によって搬送される前記記録媒体から前記給紙ローラを介して伝達される前記第一の回転トルクは、前記第二の駆動列に前記駆動部から伝達される前記第二の回転トルクより大きいことを特徴とする請求項１に記載の給紙装置。
【請求項３】
前記第一の回転トルクは、前記給紙ローラが前記搬送部によって搬送される前記記録媒体の搬送速度に従って第一の回転速度で回転することで発生するトルクであり、前記第二の回転トルクは、前記駆動部が前記給紙ローラを前記第一の回転速度より遅い第二の回転速度で回転させるために発生させるトルクであることを特徴とする請求項２に記載の給紙装置。
【請求項４】
前記駆動連結部は、前記第一の回転トルクが前記第二の回転トルクより大きいときに、前記第二の回転トルクの伝達を遮断することを特徴とする請求項２に記載の給紙装置。
【請求項５】
前記駆動連結部が前記第二の回転トルクの伝達を遮断しているときに、少なくとも前記給紙ローラの回転に対する抵抗力を前記給紙ローラに与える抵抗部材を有していることを特徴とする請求項４に記載の給紙装置。
【請求項６】
前記駆動連結部がクラッチ機構部であることを特徴とする請求項４または５に記載の給紙装置。
【請求項７】
前記駆動連結部がワンウェイギアであることを特徴とする請求項４または５に記載の給紙装置。
【請求項８】
前記駆動ギアの中心を貫通するように設けられている駆動軸と前記駆動ギアとの間に半固体の油が塗布されていることを特徴とする請求項１から７のいずれか１項に記載の給紙装置。
【請求項９】
前記駆動ギアに接触するように設けられ、少なくとも前記給紙ローラの回転に連動する前記駆動ギアの回転に対する抵抗力を前記駆動ギアに与える抵抗部材を有していることを特徴とする請求項１から７のいずれか１項に記載の給紙装置。
【請求項１０】
前記１から９のいずれか１項に記載の給紙装置と、前記記録媒体の記録面に画像を形成する記録部と、画像が形成された前記記録媒体を排紙する排紙部と、を有する記録装置。
【発明の詳細な説明】
【技術分野】
【０００１】
本発明は、記録媒体の給紙装置と、その給紙装置を備え、記録媒体に画像を形成する記録装置に関する。
【背景技術】
【０００２】
給紙カセットに積載された記録媒体を一枚ずつ給紙するための給紙ローラ（フロント給送ローラ）を備えたスウィングアーム給紙機構部を有する給紙装置（給送部）を備えた記録装置が、特許文献１に開示されている。この給紙装置は、給紙カセットに積載された最上の記録媒体に接触している給紙ローラが回転することで、記録媒体が斜面分離部（フロント給送分離ガイド部）に向かって搬送され、斜面分離部において記録媒体が一枚ずつ分離されて給紙される。給紙された記録媒体は、斜面分離部の記録媒体の搬送方向の下流に設けられた搬送ローラによって、記録媒体に画像を形成する記録部に搬送される。
【先行技術文献】
【特許文献】
【０００３】
【特許文献１】特開２０１０−７６４２１号公報
【発明の概要】
【発明が解決しようとする課題】
【０００４】
特許文献１に開示された発明では、記録媒体を給紙する場合において、記録媒体が斜面分離部を乗り越えて搬送ローラにて挟持されたときに、記録媒体は挟持されている搬送ローラの回転速度にあわせて搬送される。しかしながら、一般的に搬送ローラは給紙ローラより回転速度が速いため、記録媒体が搬送ローラの回転速度で搬送されると、搬送ローラによって記録媒体にテンションがかかり、記録媒体の剛性によって斜面分離部から持ち上がることがある。このとき、記録媒体の表面に接触している給紙ローラを有するスウィングアーム給紙機構部が記録媒体と接触している位置から持ち上がり、その後に持ち上がった記録媒体の表面に接触する位置に動く。しかし、給紙ローラが記録媒体の表面に再び接触すると、給紙ローラの回転速度と記録媒体の搬送速度との違いによって空転してしまい、スウィングアーム給紙機構部が記録媒体上でバウンドしてしまう。スウィングアーム給紙機構部が記録媒体上でバウンドすると、記録媒体の搬送が不安定になると共に記録媒体が振動して異音を発生するという課題があった。
【０００５】
そこで本発明の目的は、前記した問題を解決して、剛性の高い記録媒体を給紙しても安定して搬送でき、異音の発生を抑制することができる給紙装置及び給紙装置を備えた記録装置を提供することにある。
【課題を解決するための手段】
【０００６】
前記した目的を達成するために、本発明は、複数の記録媒体を収容する記録媒体積載部と、記録媒体積載部に積載された複数の記録媒体の最上の記録媒体に接している給紙ローラと、給紙機構部とを有し、給紙機構部は、給紙ローラと第一の回転トルクを互いに伝達している駆動ギアを介して接続している第一の駆動列と、給紙ローラを回転させる第二の回転トルクを発生させる駆動部に接続している第二の駆動列と、第一の駆動列と第二の駆動列との間に配置され、第二の駆動列から第一の駆動列への一方向にのみ第二の回転トルクを伝達する駆動連結部と、を有していることを特徴とする。
【発明の効果】
【０００７】
本発明によれば、給紙ローラを含む第一の駆動列と第二の回転トルクを発生する駆動部と連結した第二の駆動列との間に駆動連結部が設けられている。駆動連結部は一方向にのみ第二の回転トルクを伝達するので、給紙ローラが発生させる第一の回転トルクが第二の駆動列に伝達することがない。そのため、剛性の高い記録媒体が斜面分離部から持ち上がっても、持ち上がった記録媒体上で給紙機構部がバウンドしない。これにより、記録媒体を安定して搬送でき、記録媒体が振動しなくなるので、記録媒体の振動による異音の発生を抑制することができる。
【図面の簡単な説明】
【０００８】
【図１】本発明の実施形態である記録装置を示す斜視図である。
【図２】本実施形態の記録装置のエンジン部を示す斜視図である。
【図３】本実施形態の給紙部を示す斜視図である。
【図４】本実施形態の給紙部を示す断面図である。
【図５】本実施形態の給紙カセットユニットを示す斜視図である。
【図６】本実施形態の給紙カセットユニットの端部を示す断面図である。
【図７】本実施形態の給紙カセットユニットにおけるサイドガイドを示す斜視図である。
【図８】本実施形態の給紙カセットユニットにおけるサイドガイドを示す断面図である。
【図９】本実施形態の斜面分離部を示す斜視図である。
【図１０】（ａ）は図９に示す斜面分離部のＡ−Ａ’断面図、（ｂ）はＢ−Ｂ’側面図である。
【図１１】図９に示す斜面分離部が有する分離片が表面から後退している状態を示す斜視図である。
【図１２】本実施形態のスウィングアーム給紙機構部を示す斜視図である。
【図１３】図１２に示すスウィングアーム給紙機構部の給紙ローラに駆動力を伝える機構を示す斜視図である。
【図１４】図１２に示すスウィングアーム給紙機構部のクラッチ機構部周囲の構造と作動方法を示す斜視図である。
【図１５】図１４に示すクラッチ機構部が作動して給紙ローラに駆動力を伝える状態を示す斜視図である。
【図１６】（ａ）はスウィングアーム給紙機構部によって記録媒体が給紙開始した状態を示す断面図と平面図、（ｂ）はスウィングアーム給紙機構部と搬送ローラによって記録媒体が給紙されている状態を示す断面図と平面図である。
【図１７】本実施形態のスウィングアーム給紙機構部に抵抗部材を設けた構成を示す平面図である。
【図１８】本実施形態のスウィングアーム給紙機構部の給紙ギアをワンウェイギアにして抵抗部材を設けた構成を示す平面図である。
【発明を実施するための形態】
【０００９】
以下、本発明の実施の形態について図面を参照して説明する。
【００１０】
図１は、本発明の記録装置の斜面図である。
【００１１】
記録装置９００は、記録装置９００へ操作指示をインプットするための操作ボタン等が配置されたパネル部６００と、外装部７００と、画像をスキャンして取り込むためのスキャナー部８００とを有している。外装部７００を取り除くと、図２に示すように、エンジン部５００が記録装置９００の内部に形成されている。
【００１２】
エンジン部５００は、給紙部１と、搬送部２と、キャリッジ部３と、駆動切替部４と、シャーシ部５と、回復装置部６と、ボトム部７と、電気基板８とを有している。搬送部２は、給紙部１によって搬送されてきた一枚の記録媒体１００を、記録媒体１００に画像を形成する記録部に搬送し、画像が形成された記録媒体１００を不図示の排紙部まで排紙するユニットである。キャリッジ部３は、記録媒体１００の記録面にインクを吐出するための不図示の記録ヘッドを有しており、画像形成の記録部において、記録媒体１００の直上を記録媒体１００の搬送方向に直交して往復運動するように構成されている。
【００１３】
図３と図４に示すように、給紙部１は、給紙カセットユニット１２と、スウィングアーム給紙機構部１４と、斜面分離部１６とを有している。
【００１４】
給紙カセットユニット１２は、記録媒体１００をセットする記録媒体積載部で、不図示のボトムフレームユニットに挿入した状態で記録装置９００に収容され、図５に示すように、給紙インナーカセット１２１と給紙アウターカセット１２２とを有している。給紙インナーカセット１２１と給紙アウターカセット１２２は伸縮式で、リーガルサイズ（ＬＧＬサイズ）等の通常と異なるサイズの記録媒体１００を積載する際には、給紙アウターカセット１２２が引き伸ばされて使用される。給紙インナーカセット１２１には記録媒体１００の幅方向の端部を位置決め、保持するサイドガイドＬ１２４とサイドガイドＲ１２５とが設けられ、給紙アウターカセット１２２には記録媒体１００の後端を位置決め、保持するエンドガイド１２３が設けられている。エンドガイド１２３とサイドガイドＬ１２４とサイドガイドＲ１２５とは、記録媒体１００のサイズに合わせて給紙カセットユニット１２上での位置を変えることができるように構成されている。
【００１５】
エンドガイド１２３は、給紙インナーカセット１２１の溝部を摺動して位置を変えることができるように構成されている。図６に示すように、エンドガイド１２３の内部には、エンドガイドバネ１２３ａによって給紙インナーカセット１２１を押圧しているロックピン１２３ｂが設けられている。これによって、ユーザーがエンドガイド１２３を操作した際にクリック感を得ることができ、また記録媒体１００の後端をエンドガイド１２３が保持することができる。
【００１６】
図７に示すように、サイドガイドＬ１２４とサイドガイドＲ１２５とは、記録媒体１００を保持する保持面は平面で構成され、保持面の裏面にはそれぞれラックが設けられている。また、給紙インナーカセット１２１の中央部にはサイドガイドギア１１５が設けられており、サイドガイドＬ１２４とサイドガイドＲ１２５のそれぞれのラックがサイドガイドギア１１５を挟み込むようにして噛み合っている。これにより、サイドガイドギア１１５が回転すると、サイドガイドＬ１２４とサイドガイドＲ１２５とは、記録媒体１００の幅方向に対して互いに反対方向に移動するように構成されている。図８に示すように、サイドガイドＲ１２５内部には、サイドガイドバネ１２５ａとサイドガイド摩擦パッド１２５ｂが設けられており、サイドガイドバネ１２５ａがサイドガイド摩擦パッド１２５ｂを給紙インナーカセット１２１に押圧するように構成されている。このサイドガイド摩擦パッド１２５ｂと給紙インナーカセット１２１との間の摩擦力によって、サイドガイドＬ１２４及びサイドガイドＲ１２５が記録媒体１００を位置合わせすることができる。
【００１７】
さらに、給紙インナーカセット１２１は、積載された一番下の記録媒体１００が重送されないために、後述するスウィングアーム給紙機構部１４の給紙ローラ１３２と給紙インナーカセット１２１とが当接する位置にカセット摩擦パッド１２６を有している。加えて、カセット摩擦パッド１２６と同じ位置に、記録媒体１００が給紙カセットユニット１２に積載されていない場合に給紙ローラ１３２を給紙インナーカセット１２１に食い込ませないように空転させるためのカセットローラ１２７が設けられている。
【００１８】
図９に示すように、斜面分離部１６は、ベース１６１の斜面部に斜面部材１６２（斜面部材Ｌ１６２ａと斜面部材Ｒ１６２ｂ）が設けられている。斜面部材１６２には一部に穴や切り欠きが形成されており、そこに分離片１６３と記録媒体先端戻し機構１６４とが形成されている。分離片１６３は、記録媒体を一枚ずつ給紙するために重なった記録媒体同士を分離させやすくするもので、積載される記録媒体１００の先端部の中心に当接する位置に設けられている。また、分離片１６３は、図１０（ａ）と図１１に示すように、斜面部材１６２の表面から突出している位置と後退している位置とに切替駆動レバー１６５ａを駆動することで移動することができる。記録媒体先端戻し機構１６４は、給紙される記録媒体が重送を引き起こさないように記録媒体の先端部を所定位置に戻す機構で、戻し板１６４ａと、戻し板バネ１６４ｃと、カムを含む戻し板駆動軸１６４ｄとを有する。この記録媒体先端戻し機構１６４は、図１０（ｂ）に示すように、ベース１６１の一部である軸１６４ｂを中心に回転可能であり、戻し板バネ１６４ｃによってベース１６１に向かって力がかけられるように構成されている。これに対して、カムを含む戻し板駆動軸１６４ｄが回転することで戻し板１６４ａを背面から押すため、戻し板１６４ａの表面は斜面部材１６２から突出する位置に移動することができる。
【００１９】
斜面分離部１６の表面を搬送されてきた記録媒体１００を記録装置９００の記録部に搬送する搬送部２は、搬送ローラ２３１を有する。搬送ローラ２３１は、斜面分離部１６の記録媒体１００の搬送方向の下流であって、斜面部材１６２の表面の直上に配置されている。この搬送ローラ２３１が対向する斜面分離部１６の内部に、従動ローラ２３２と従動ローラバネ２３２ａとが、搬送ローラ２３１のローラ部２３１ｃと同じ数配置されている。従動ローラバネ２３２ａは、従動ローラ２３２の軸であるのと同時に、搬送ローラ２３１へ従動ローラ２３２を押圧させているバネ軸である。
【００２０】
スウィングアーム給紙機構部１４は、図１２に示すように、スウィングアーム１４１と、フラップシート１４２と、ディレイギア（駆動ギア）１４３と、クラッチ機構部１４５と、給紙軸１４６と、給紙入力ギア１４８とを有している。スウィングアーム１４１には、記録媒体１００を給紙するための給紙ローラ１３２が備えられている。給紙ローラ１３２の左右のローラ（給紙ローラＬ１３２ａと給紙ローラＲ１３２ｂ）には、給紙ゴム１３２ｃがそれぞれ取り付けられている。図１３に示すように、給紙ローラＬ１３２ａと給紙ローラＲ１３２ｂとは、スウィングアーム１４１の軸受部と給紙ギア１３４とを挟んで、それぞれの中心を一つの軸が貫通して回転方向に固定することで接続するように構成されている。給紙ローラ１３２からの第一の回転トルクが伝達する第一の駆動列は、給紙ローラＬ１３２ａと、給紙ローラＲ１３２ｂと、給紙ギア１３４と、ディレイギア１４３とから構成されている。不図示の駆動部である駆動モーターからの第二の回転トルクが伝達する第二の駆動列は、給紙入力ギア１４８と、給紙アイドラギア１４７と、給紙軸１４６とから構成されている。また、不図示のスウィングアーム与圧バネが、不図示のボトムフレームとの間に発生するバネ力によって、スウィングアーム給紙機構部１４に圧力を与えるように構成されている。フラップシート１４２は、給紙された記録媒体１００が斜面分離部１６に当接した際の記録媒体１００の姿勢を安定させるためのもので、スウィングアーム１４１の記録媒体１００と対向する面に設けられている。
【００２１】
駆動連結部であるクラッチ機構部１４５は、図１４に示すように、ディレイギア１４３と、ディレイクラッチ１４５ａと、クラッチ１４５ｂと、給紙軸１４６の突起部１４６ｂとを組み合わせることで形成されている。給紙ローラ１３２と共に回転する給紙ギア１３４に直結しているディレイギア１４３は、ギア部と側面部に、ある一定の角度間隔で形成されている複数のリブを有している。そのリブ同士の間の間隔にディレイクラッチ１４５ａの突起部が挿し込まれ、リブと当接する。ディレイクラッチ１４５ａは、突起部の反対側には鋸形状の歯と、中空円筒形状の軸部を有しており、軸部にクラッチ１４５ｂの内周面が接触するように挿入されている。クラッチ１４５ｂは鋸形状の歯を有しており、図１５に示すように、鋸形状の歯はディレイクラッチ１４５ａの鋸形状の歯と噛み合うように配置されている。噛み合った鋸形状の歯は、一方向に回転させると、噛み合ったままディレイクラッチ１４５ａとクラッチ１４５ｂとが共に回転し、もう一方に回転させると噛み合いが外れて第一の回転トルクが伝わらないように形成されている。給紙軸１４６の突起部１４６ｂが、クラッチ１４５ｂが有する切り欠き部に嵌るように、ディレイギア１４３とディレイクラッチ１４５ａとの中心に設けられた貫通軸に給紙軸１４６が挿入されている。
【００２２】
以上に説明した構成の給紙装置によって、記録媒体を給紙する方法を説明する。
【００２３】
ユーザーは、画像を形成に適切な記録媒体１００を積載するために、記録装置９００から給紙カセットユニット１２を取り出す。ユーザーは、記録媒体１００のサイズに合わせて給紙カセットユニット１２に設けられたエンドガイド１２３とサイドガイドＬ１２４とサイドガイドＲ１２５とを開放位置に移動し、複数枚の記録媒体１００を給紙カセットユニット１２に積載する。複数枚の記録媒体１００を積載し、エンドガイド１２３とサイドガイドＬ１２４とサイドガイドＲ１２５とを記録媒体１００を保持する位置に移動させたら、給紙カセットユニット１２が記録装置９００に収容される。
【００２４】
給紙カセットユニット１２が記録装置９００の給紙部１にセットされると、スウィングアーム給紙機構部１４のスウィングアーム１４１に設けられた給紙ローラ１３２が給紙カセットユニット１２に積層された最上の記録媒体１００の表面に接触する。給紙ローラ１３２の表面が最上の記録媒体１００の表面に接触すると、記録媒体１００の搬送準備が完了する。記録装置９００に画像データがインプットされると、記録媒体１００を給紙カセットユニット１２から記録部まで搬送する給紙ステップが開始される。
【００２５】
給紙カセットユニット１２の記録媒体１００を記録部に搬送するために、給紙ローラ１３２を回転速度Ｖｐで回転させる必要がある。そのために給紙ローラ１３２を回転速度Ｖｐで回転させる第二の回転トルクを不図示の給紙ローラ回転駆動部が発生させる。不図示の給紙ローラ回転駆動部が給紙入力ギア１４８に第二の回転トルクを与え、その第二の回転トルクが給紙アイドラギア１４７、給紙軸１４６、クラッチ機構部１４５、ディレイギア１４３へと伝わる。このときは、給紙ローラは回転しておらず、第二の回転トルクがクラッチ機構部１４５のクラッチ１４５ｂからディレイクラッチ１４５ａへと一方向に伝達する。そして、第二の回転トルクが給紙ギア１３４に伝わると給紙ギア１３４が回転し、給紙ギア１３４と一体となっている給紙ローラ１３２が回転速度Ｖｐで回転する。クラッチ機構部１４５では、給紙軸１４６の突起部１４６ｂが回転することで、クラッチ１４５ｂの切り欠き部内を、切り欠き部内に設けられたカム面に沿って回転移動することによってクラッチ１４５ｂ自体が軸線方向に前進する。クラッチ１４５ｂが前進すると、クラッチ１４５ｂの鋸形状の歯がディレイクラッチ１４５ａの鋸形状の歯と噛み合うことで、給紙軸１４６からクラッチ機構部１４５を通ってディレイギア１４３へと第二の回転トルクが伝達する。
【００２６】
給紙ローラ１３２が回転すると、図１６（ａ）に示すように、給紙ローラ１３２と接触している最上の記録媒体１００が斜面分離部１６に向かって移動する。最上の記録媒体１００の先端部が斜面分離部１６に当接すると、記録媒体１００の先端部と斜面分離部１６との間に摩擦力が発生するが、この摩擦力より給紙ローラ１３２の搬送力が大きい。そのため、記録媒体１００の先端部は斜面分離部１６の斜面に沿って滑るように搬送され、これに従って記録媒体１００全体が給紙ローラ１３２の搬送力によって斜面分離部１６を滑るように搬送される。記録媒体１００の搬送方向にみて、斜面分離部１６の下流に設けられている搬送ローラ２３１と従動ローラ２３２との間に記録媒体１００が挟持されて、記録部まで搬送されていく。
【００２７】
図１６（ｂ）に示すように、搬送ローラ２３１の回転速度Ｖｒは、給紙ローラ１３２の回転速度Ｖｐより早い。そのため、記録媒体１００が搬送ローラ２３１と従動ローラ２３２とに挟持されると、搬送ローラ２３１の回転速度Ｖｒにあわせて記録媒体１００が速度Ｖｒで搬送されていく。記録媒体１００が速度Ｖｒで搬送されると、給紙ローラ１３２は記録媒体１００によって回転速度Ｖｐより速い第一の回転速度で回転させられることで、第一の回転トルクが発生する。これに伴って、給紙ローラ１３２と噛み合っているディレイギア１４３とディレイクラッチ１４５ａとが給紙ローラ１３２に連動して同じ速度で回転し、第一の回転トルクが伝達する。このとき、ディレイクラッチ１４５ａとクラッチ１４５ｂとは異なる速度で回転しているため、ディレイクラッチ１４５ａからみてクラッチ１４５ｂは相対的に反対方向に回転する。すると、噛み合っていたディレイクラッチ１４５ａの鋸形状の歯とクラッチ１４５ｂの鋸形状の歯とが外れて、ディレイクラッチ１４５ａとクラッチ１４５ｂとが遮断される。これにより、給紙ローラ１３２とディレイギア１４３とディレイクラッチ１４５ａとは記録媒体１００の搬送速度に合わせて回転し、クラッチ１４５ｂと給紙軸１４６と給紙アイドラギア１４７と給紙入力ギア１４８とは第二の回転速度Ｖｐで回転する。尚、回転速度Ｖｐで回転しているときの給紙ローラ１３２の周動負荷Ｆｔ、記録媒体１００の搬送速度に追従して回転しているときの給紙ローラ１３２の周動負荷Ｆｂの間には、Ｆｔ＜Ｆｂという関係が成り立つ。
【００２８】
クラッチ機構部１４５が遮断状態になると、給紙ローラ１３２を含めたスウィングアーム給紙機構部１４が、最上の記録媒体１００に接触する給紙開始位置から記録媒体１００の剛性によって直上に持ち上げられる。スウィングアーム給紙機構部１４が持ち上がると、スウィングアーム給紙機構部１４が持ち上げられた位置から給紙開始位置に向かって自重で戻ろうとする。このとき、給紙ローラ１３２はクラッチ機構部１４５が遮断しているため、記録媒体１００の表面に沿って回転する。しかしながら、持ち上がったスウィングアーム給紙機構部１４が、給紙開始位置に戻る前に記録媒体１００の剛性に負けて再び持ち上げられてしまい、記録媒体１００上でスウィングアーム給紙機構部１４がバウンドしてしまうおそれがある。スウィングアーム給紙機構部１４のバウンドは記録媒体１００の振動を引き起こし、記録媒体１００の振動は異音を発生させてしまう。
【００２９】
この対策として、ディレイギア１４３とディレイクラッチ１４５ａの中心軸に沿った内周面に半固体の油（本実施形態ではグリス）を塗布し、給紙ローラ１３２の回転速度を抑えている。グリスは、ディレイギア１４３及びディレイクラッチ１４５ａと給紙軸１４６との間の回転摺動性を抑えており、ディレイギア１４３が回転しにくくなることで給紙ローラ１３２の回転速度が抑えられる。給紙ローラ１３２の回転速度が抑えられると、スウィングアーム給紙機構部１４が自重にて給紙開始位置に戻るときに給紙ローラ１３２が回転しないことで抵抗になり、スウィングアーム給紙機構部１４が記録媒体１００上に持ち上げられた状態を保つ。自重によってスウィングアーム給紙機構部１４が給紙開始位置に戻らず、記録媒体１００上で持ち上げられた状態を保つため、スウィングアーム給紙機構部１４が記録媒体１００上でバウンドすることを抑えることができる。そのため、記録媒体１００の振動が抑えられ、記録媒体の搬送の安定性が向上し、同時に異音の発生も抑えることができる。
【００３０】
尚、給紙ローラ１３２の回転速度を抑える方法としては、前述したグリス以外の方法を用いてもよい。図１７に示すように、スウィングアーム給紙機構部１４に設けられた摩擦部材は、ディレイギア１４３と接触する位置に形成されており、ディレイギア１４３に摩擦力を与えることで給紙ローラ１３２の回転速度を抑えている。さらにはクラッチ機構部１４５をなくし、ディレイギア１４３にワンウェイギアの性能が備えられた構成であってもよい。また、図１８に示すように、給紙ギア１３４にワンウェイギアの性能が備えられており、ワンウェイギアの空転時にのみ給紙ローラ１３２に抵抗力を与える抵抗部材が給紙ギア１３４を挟むように形成されている構成であってもよい。
【００３１】
以上のように、スウィングアーム給紙機構部１４にクラッチ機構部１４５を設けることによって、給紙ローラ１３２と回転速度の異なる搬送ローラ２３１にて記録媒体１００が搬送されても、給紙ローラ１３２の回転速度が記録媒体１００の搬送速度に追従する。そのため、給紙ローラ１３２が記録媒体１００の表面を傷つけたりすることがない。さらには、摩擦力を与えて給紙ローラ１３２の回転速度を抑えることで、記録媒体１００の搬送速度に追従する給紙ローラ１３２の回転速度に保つことで、スウィングアーム給紙機構部１４が記録媒体１００上でバウンドすることを抑制することができる。そのため、記録媒体１００の振動が抑えられ、同時に異音の発生も抑えることができる。
【符号の説明】
【００３２】
１              給紙部
２              搬送部
１００          記録媒体
１２            給紙カセットユニット
１２１          給紙インナーカセット
１２２          給紙アウターカセット
１３２          給紙ローラ
１３４          給紙ギア
１４            スウィングアーム給紙機構部
１４１          スウィングアーム
１４３          ディレイギア
１４５          クラッチ機構部
１４６          給紙軸
１６            斜面分離部
１６３          分離片
２３１          搬送ローラ
７１１          ボトムフレーム
【図１】
2014047036.tif 000003
【図２】
2014047036.tif 000004
【図３】
2014047036.tif 000005
【図４】
2014047036.tif 000006
【図５】
2014047036.tif 000007
【図６】
2014047036.tif 000008
【図７】
2014047036.tif 000009
【図８】
2014047036.tif 000010
【図９】
2014047036.tif 000011
【図１０】
2014047036.tif 000012
【図１１】
2014047036.tif 000013
【図１２】
2014047036.tif 000014
【図１３】
2014047036.tif 000015
【図１４】
2014047036.tif 000016
【図１５】
2014047036.tif 000017
【図１６】
2014047036.tif 000018
【図１７】
2014047036.tif 000019
【図１８】
2014047036.tif 000020